(57)【要約】【課題】衝立の汚れる頻度の高い幕板の水洗い等が容易にできるようにする。【解決手段】キッチンカウンター３の上面に衝立１１を備え、衝立１１は、キッチンカウンター３に取付けた支持枠１２と、支持枠１２に着脱自在に係止する幕板１３とを備えている。支持枠１２は、両側の縦支持棒１４，１５と、縦支持棒１４，１５に横架した横支持棒１６とを備え、幕板１３は、平面状域１３ａの上端側を折り曲げてフック１３ｂを形成し、横支持棒１６にフック１３ｂを係止して吊り下げる。【効果】汚れた幕板１３を支持枠１２から離脱して単独で水洗い等して、綺麗になった幕板１３を支持枠１２に係止して使用できる。幕板１３を持ち上げ又は引っ掛ける簡単な操作で着脱が容易にでき、また幕板１３が単純な形状であるため水洗い等の清掃が容易である。【選択図】  図１
2004147715.tif 000002
【特許請求の範囲】
【請求項１】
キッチンカウンターの上面に衝立を備えたキッチンカウンターにおいて、前記衝立は、キッチンカウンターに取付けた支持枠と、該支持枠に着脱自在に係止する幕板とを備えたことを特徴とする衝立を備えたキッチンカウンター。
【請求項２】
前記支持枠は、両側の縦支持棒と、両側の縦支持棒に横架した横支持棒とを備え、前記幕板は、平面状域の上端側を折り曲げてフックを形成し、横支持棒に該フックを係止して吊り下げる請求項１記載の衝立を備えたキッチンカウンター。
【請求項３】
前記キッチンカウンターに対する前記支持枠の取付け構造は、前記キッチンカウンターの上面に設けたボルトと、前記縦支持棒の各下端に設けた鍔部と、前記縦支持棒の各々に外嵌した内折れ係止片付きナットとを備え、各ボルトに各ナットを着脱自在に螺着して、ナットの内折れ係止片とボルトの上面とで鍔部を挟持した請求項２記載の衝立を備えたキッチンカウンター。
【発明の詳細な説明】
【０００１】
【発明の属する技術分野】
本発明は、衝立を備えたキッチンカウンターに関するものである。
【０００２】
【従来の技術】
従来より、キッチンエリアとダイニングエリアとの間に配置する等して対面できるキッチンカウンターを設けたものがあり、キッチンエリアから見て調理機器の後側に衝立を設けて、キッチンエリアと反対側に油はね、水はね等が飛散しないようにしている。この衝立は、枠体に幕板を固着し、枠体の左右下端部に固着した固定具を、カウンターの上面部にビス固定している（例えば、特許文献１参照。）。
【０００３】
【特許文献１】
特開２００２−２０９６４９
【０００４】
【発明が解決しようとする課題】
衝立は、油はね等で幕板が汚れたときには、拭き掃除される。ところが、頑固な汚れのときは、拭き掃除で除去できないため、カウンターから取外して水洗い等したいときがあるが、従来は、カウンターにビス固定した衝立を容易に取り外せないため、水洗い等をあきらめていた。そこで、本発明は、水洗い等が容易にできる衝立を備えたキッチンカウンターの提供を目的としている。
【０００５】
【課題を解決する手段】
汚れる頻度の高い幕板の水洗い等が容易にできるようにするために請求項１に記載の本発明が採用した手段は、キッチンカウンターの上面に衝立を備えたキッチンカウンターにおいて、前記衝立は、キッチンカウンターに取付けた支持枠と、該支持枠に着脱自在に係止する幕板とを備えたことを特徴とする衝立を備えたキッチンカウンターである。
本発明にあっては、汚れた幕板を支持枠から離脱して単独で水洗い等して、綺麗になった幕板を支持枠に係止して使用できる。
【０００６】
幕板の着脱と清掃が容易となるようにするために請求項２記載の本発明が採用した手段は、前記支持枠は、両側の縦支持棒と、両側の縦支持棒に横架した横支持棒とを備え、前記幕板は、平面状域の上端側を折り曲げてフックを形成し、横支持棒に該フックを係止して吊り下げる請求項１記載の衝立を備えたキッチンカウンターである。
本発明にあっては、支持枠から幕板を持ち上げて離脱できると共に、支持枠の横支持棒に幕板のフックを引っ掛けることで吊り下げることができ、幕板の形状が平面状域の上端側に折り曲げたフックを形成した単純なものであるため、清掃が簡単にできる。
【０００７】
枠体の取外しが容易にできるようにするために請求項３記載の本発明が採用した手段は、前記キッチンカウンターに対する前記支持枠の取付け構造は、前記キッチンカウンターの上面に設けたボルトと、前記縦支持棒の各下端に設けた鍔部と、前記縦支持棒の各々に外嵌した内折れ係止片付きナットとを備え、各ボルトに各ナットを着脱自在に螺着して、ナットの内折れ係止片とボルトの上面とで鍔部を挟持した請求項２記載の衝立を備えたキッチンカウンターである。
本発明にあっては、ボルトからナットを螺脱することで支持枠を取外すことができ、ボルトにナットを螺合することで支持枠をキッチンカウンターに取付けできるので、支持枠も単独で水洗い等することが可能となる。
【０００８】
【発明の実施の形態】
以下、本発明に係る衝立を備えたキッチンカウンターを図１〜図４に示す実施の形態に基づいて説明する。図１は衝立１１を備えたキッチンカウンター３をメイン作業域Ｄの上方から見た斜視図、図２は衝立１１を示すものであって、同図（Ａ）は支持枠１２と幕板１３とを分離した状態の斜視図、同図（Ｂ）は支持枠１２に幕板１３を係止した状態をメイン作業域Ｄ側から見た斜視図、同図（Ｃ）は支持枠１２に幕板１３を係止して吊り下げた状態の断面図、図３は支持枠１２の縦支持棒１４（１５）の下端側を示すものであって、同図（Ａ）は縦支持棒１４（１５）と鍔部１８とナット１９とを分離した斜視図、同図（Ｂ）はキッチンカウンター３に対して支持枠１２を取付ける前の状態の斜視図、図４はキッチンカウンター３に対して支持枠１２を取付ける構造を拡大して示すものであって、同図（Ａ）はキッチンカウンター３に対して支持枠１２を取付ける前の状態の断面図、同図（Ｂ）は取付けた状態の断面図である。
【０００９】
図１に示すようにキッチン設備１は、床面Ｆ上の右側（建物壁Ｗの際）に配置した前後方向に延びるサブのキッチンカウンター２と、サブのキッチンカウンター２から左側（建物壁Ｗから離れる方向）へ延びるメインのキッチンカウンター３と、建物壁Ｗに取付けて吊り下げた吊り戸棚４，５及び排気装置６とを備えている。サブのキッチンカウンター２は、収納キャビネット２ａと、収納キャビネット２ａ上に取付けた天板２ｂとを備え、収納キャビネット２ａに引出し２ｃや開閉扉２ｄを備えている。メインのキッチンカウンター３は、キャビネット３ａと、キャビネット３ａ上に取付けた天板３ｂとを備え、天板３ｂに、ガスコンロ又は電磁調理器等からなる加熱具３ｄ及びシンク３ｃが取付けられていると共に、キャビネット３ａに、加熱具３ｄ及び食器洗い乾燥機３ｅが内蔵されている。該天板３ｂは、左右方向に沿って延びており、前側が加熱具３ｄ及びシンク３ｃを配置したメイン領域３ｂ−１であり、後側が調理や食事等に使用するサブ領域３ｂ−２であり、両領域３ｂ−１，３ｂ−２の境界に段部３ｂ−３を設けて、メイン領域３ｂ−１に比べてサブ領域３ｂ−２を高くしてある。メインのキッチンカウンター３は、手前外側がシンク３ｃ及び加熱具３ｄを使用するためのメイン作業域Ｄになっていると共に、後方外側が天板３ｂのサブ領域３ｂ−２を調理や食事等に使用するためのサブ使用領域Ｅになっており、メイン作業域Ｄとサブ使用領域Ｅとで対面できるようになっている。
【００１０】
前記メインのキッチンカウンター３は、メイン作業域Ｄ及びサブ使用領域Ｅの各左側が、ダイニング又はリビング等の人集合領域に面しており、人集合領域に居る子供等を見ながら調理することができるようになっている。
【００１１】
前記キッチン設備１は、図１に示す如く、サブのキッチンカウンター２及びメインのキッチンカウンター３が平面Ｔ字状に配置され、サブのキッチンカウンター２の奥行き寸法分だけ、加熱具３ｄが建物壁Ｗから離れるようになっており、従来のレイアウトである建物壁Ｗの際に加熱具３ｄを配置したものと相違する。そこで、キッチン設備１は、排気装置６を備えて、加熱具３ｄの上にフード７を配置してある。なお、キッチンカウンター３は、サブのキッチンカウンター２に接合することなく単独で設置されることもある。
【００１２】
前記メインのキッチンカウンター３は、図１に示す如く、その上面に衝立１１を設置してある。衝立１１は、メイン作業域Ｄから見て加熱具３ｄの後側に設置され、加熱具３ｄで加熱調理したときに生じる油はね，水はね等のはねを、天板３ｂのサブ領域３ｂ−２やサブ使用域Ｅ側へ飛散するのを阻止している。衝立１１は、グリルの排気口８の際に設置して、排気口８から立ち上がる排煙を後述の幕板１３に壁流として案内させ、排煙中の粒子を幕板１３に付着させて捕捉させるようにしてある。更に、衝立１１は、図２（Ｂ）及び同図（Ｃ）に示す如く、幕板１３の下端側で天板３ｂの段部３ｂ−３を覆い、排気口８から立ち上がる排気の加熱から段部３ｂ−３を保護して、段部３ｂ−３の熱変形を防止する断熱板としての機能を有する。
【００１３】
前記衝立１１は、図２に示す如く、キッチンカウンター３に取付けた支持枠１２と、支持枠１２に着脱自在に係止する幕板１３とを備えている。支持枠１２は、両側の縦支持棒１４，１５と、縦支持棒１４，１５に横架した上下の横支持棒１６，１７とを備えている。幕板１３は、平面状域１３ａの上端側を折り曲げてフック１３ｂを形成して断面Ｊ字状になっており、上方の横支持棒１４にフック１３ｂを係止して吊り下げるようになっている。支持枠１２の横支持棒１６に吊り下げた幕板１３は、下方の横支持棒１７に当接して振れを阻止して静止した状態となる。衝立１１は、耐熱性と防錆性等から素材としてステンレススチール等が用いられる。
【００１４】
前記キッチンカウンター３に対する支持枠１２の取付け構造は、図２〜図４に示す如く、キッチンカウンター３の上面に設けた両側のボルト２０，２０と、縦支持棒１４，１５の各下端に設けた鍔部１８と、縦支持棒１４，１５の各々に外嵌した内折れ係止片１９ａ付きナット１９とを備え、各ボルト２０に対応するナット１９を着脱自在に螺着して、ナット１９の係止片１９ａとボルト２０の上面とで鍔部１８を挟持して固定するようにしている（図４（Ｂ）参照）。鍔部１８は、縦支持棒１４，１５の下端に螺着するボルトの頭部等から形成され、縦支持棒１４，１５の外周面から突出するようになっている。キッチンカウンター３に対するボルト２０の取付けは、ボルト２０の底面から延びる小径のボルト２１をキッチンカウンター３の天板３ｂへ挿通して、ボルト２１にナット２２を緊締して行っている。
【００１５】
前記衝立１１は、図２に示す如く、汚れた幕板１３を支持枠１２から離脱して単独で水洗い等して、綺麗になった幕板１３を支持枠１２に係止して使用できる。支持枠１２に対する幕板１３の着説は、支持枠１２から幕板１３を持ち上げて離脱できると共に、支持枠１２の横支持棒１６に幕板１３のフック１３ｂを引っ掛けることで吊り下げることができる。幕板１３は、平面状域１３ａから連続的に折り曲げ形成したフック１３ｂを形成した単純な形状であるため、取り扱いが簡単であると共に清掃も簡単にできる。
【００１６】
前記衝立１１の支持枠１２を清掃するときには、図４に示す如く、ボルト２０，２０からナット１９，１９を緩めて螺脱することで、支持枠１２を取外して単独で水洗い等する。綺麗になった支持枠１２は、ボルト２０，２０にナット１９，１９を螺合することで、キッチンカウンター３に取付け固定できる。ボルト２０の螺着脱は、指先で摘んで簡単にできるようになっている。
【００１７】
【発明の効果】
請求項１記載の本発明に係る衝立を備えたキッチンカウンターは、支持枠に対して幕板を着脱できるので、汚れる頻度の高い幕板の水洗い等が容易にできる。
【００１８】
請求項２記載の本発明に係る衝立を備えたキッチンカウンターは、幕板を持ち上げ又は引っ掛ける簡単な操作で着脱が容易にでき、また幕板が単純な形状であるため水洗い等の清掃が容易となる。
【００１９】
請求項３記載の本発明に係る衝立を備えたキッチンカウンターは、ボルトに対してナットを螺着脱するだけで、支持枠も単独で水洗い等することが可能となる。
【図面の簡単な説明】
【図１】本発明に係る衝立を備えたキッチンカウンターの実施の形態を示すものてあって、キッチンカウンターをメイン作業域の上方から見た斜視図である。
【図２】同実施の形態の衝立を示すものであって、同図（Ａ）は支持枠と幕板とを分離した状態の斜視図、同図（Ｂ）は支持枠に幕板を係止した状態をメイン作業域側から見た斜視図、同図（Ｃ）は支持枠に幕板を係止した状態の断面図である。
【図３】同実施の形態の衝立を示すものであって、支持枠の縦支持棒の下端側を示すものであって、同図（Ａ）は縦支持棒と鍔部とナットとを分離した斜視図、同図（Ｂ）はキッチンカウンターに対して支持枠を取付ける前の状態の斜視図である。
【図４】同実施の形態の衝立を示すものであって、キッチンカウンターに対して支持枠を取付ける構造を拡大して示すものであって、同図（Ａ）はキッチンカウンターに対して支持枠を取付ける前の状態の断面図、同図（Ｂ）は取付けた状態の断面図である。
【符号の説明】
３…キッチンカウンター、１１…衝立、１２…支持枠、１３…幕板、１４，１５…縦支持棒、１６…横支持棒、１８…鍔部、１９ナット、２０…ボルト、
【図１】
2004147715.tif 000003
【図２】
2004147715.tif 000004
【図３】
2004147715.tif 000005
【図４】
2004147715.tif 000006